(57)【要約】【課題】カッティング装置の切断刃が如何なる方向に切り込もうとも、切断不良が生じることのない回転アンビル、及びこれに用いられる回転アンビル用マットを提供する。【解決手段】回転式カッティング装置の回転アンビルの円筒外周面を周回するようにして設置されるマットであって、略矩形の平面形状を有し、設置時に前記回転アンビルの円筒軸にほぼ平行となる平行端縁それぞれに互いに嵌合可能な接合凹部及び接合凸部が形成されており、設置時に前記回転アンビルの円筒軸にほぼ垂直となる各垂直端縁が同一の非直線形状に形成されており、前記回転アンビルに設置される際に、前記平行端縁同士が隙間無く接合され、かつ、前記回転アンビルの軸方向に沿って隣接し合うマットの垂直端縁が互いに隙間無く接合可能であることを特徴とする回転アンビル用マット。【選択図】図１
2010023121.tif 000002
【特許請求の範囲】
【請求項１】
回転式カッティング装置の回転アンビルの円筒外周面を周回するようにして設置されるマットであって、
略矩形の平面形状を有し、
設置時に前記回転アンビルの円筒軸にほぼ平行となる平行端縁のうち、一方の平行端縁に１以上の接合凹部が形成され、他方の平行端縁に前記各接合凹部に嵌合可能な１以上の接合凸部が形成されており、
設置時に前記回転アンビルの円筒軸にほぼ垂直となる垂直端縁の各々が同一の非直線形状に形成されており、
前記回転アンビルに設置される際に、前記平行端縁同士が隙間無く接合され、かつ、前記回転アンビルの軸方向に沿って隣接し合うマットの垂直端縁が互いに隙間無く接合可能であることを特徴とする回転アンビル用マット。
【請求項２】
回転駆動される回転アンビル本体と、
当該回転アンビル本体の円筒外周面を周回するようにして円筒軸方向に並設される複数のマットであって、略矩形の平面形状を有し、設置時に前記回転アンビルの円筒軸にほぼ平行となる平行端縁のうち、一方の平行端縁に１以上の接合凹部が形成され、他方の平行端縁に前記各接合凹部に嵌合可能な１以上の接合凸部が形成されており、設置時に前記回転アンビルの円筒軸にほぼ垂直となる垂直端縁の各々が同一の非直線形状に形成されているマットとを有する回転アンビルであって、
前記各マットの前記平行端縁同士が隙間無く接合され、かつ、前記回転アンビルの軸方向に沿って隣接し合うマットの垂直端縁が互いに隙間無く接合可能であることを特徴とする回転アンビル。
【請求項３】
請求項１に記載の回転アンビル用マットを円筒外周面に設置した回転アンビル、又は請求項２に記載の回転アンビルを切断台として用いたことを特徴とするカッティング装置。
【請求項４】
請求項１に記載の回転アンビル用マットを円筒外周面に設置した回転アンビル、又は請求項２に記載の回転アンビル上に被切断材料を載置し、切断刃を当てて被切断材料を切断することを特徴とするカッティング方法。
【発明の詳細な説明】
【技術分野】
【０００１】
本発明は、紙材、樹脂、織布、不織布、木材などを所定形状に切断するカッティング装置の切断台として用いられる回転アンビルの表層に用いる回転アンビル用マットに関するものである。
【背景技術】
【０００２】
紙製品、樹脂製品、織布又は不織布製品などの生産現場においては、カッティング装置により連続的なシート状の被切断材料を所定の型に切り抜くことにより、所定形状の製品を製造している。一般的には、ドラム状の回転アンビルの円筒面にシート状の被切断材料を巻き付け、これに切断刃を当てて切断を行う回転式のカッティング装置が広く用いられている。
【０００３】
図４は、回転式カッティング装置の切断台となる回転アンビルの概要を示す図である。回転アンビルは、円筒表面にウレタン等の柔軟なマット部材を表層してなるものであり、このマット部材が切断刃を傷つけることなく係止する役割をする。
図５は、図４に示す回転アンビル表層のマット部材の構造を概略的に示す図である。このように、１枚のマット部材を円筒形に屈曲させ、それぞれ凹凸形状の端部同士を係合させて回転アンビル上に巻き付けている。図４に示すように、回転アンビルは、このようなマット部材を軸方向に並設してなるものである。
また、特許文献１には、従来の回転アンビル用マットが開示されている。
【０００４】
【特許文献１】特表２００４−５２９７８４号公報
【発明の開示】
【発明が解決しようとする課題】
【０００５】
上記したように回転式のカッティング装置では、回転アンビル上に巻き付けた被切断材料に切断刃を押し当てて、切断刃が柔軟な切断台に係止されるまで切断を行う。切断台のマット部材の材質や柔軟度を考慮して、切断刃を押し当てる力を調整することにより、正確なカッティングを行うことが可能となる。
【０００６】
しかしながら、図４及び図５に示すようなマット部材を円筒軸方向に並設した従来の回転アンビルにおいて、切断刃が円筒側面に平行方向に切り込む場合、マット部材同士の接合部に滑り込んだり、嵌り込んだりして、切断不良が生じるという問題点があった。
また、回転アンビルは稼動中に軸方向に数ミリ〜数十ミリ揺動する場合があるが、切断刃がマット部材同士の接合部に滑り込んだ状態で回転アンビルが揺動すると、切断刃及びマット下の木型が傷んでしまうという問題点があった。
【０００７】
本発明は、このような実情に鑑みてなされたものであり、カッティング装置の切断刃が如何なる方向に切り込もうとも、切断不良が生じることのない回転アンビル、及びこれに用いられる回転アンビル用マットを提供しようとするものである。本発明は、また、カッティング装置の切断刃が如何なる方向に切り込もうとも、切断不良が生じることのないカッティング装置及びカッティング方法を提供しようとするものである。
【課題を解決するための手段】
【０００８】
上記解決課題に鑑みて鋭意研究の結果、本発明者は、各マット部材の円筒軸方向と垂直な両端縁を非直線的に形成することにより、これらマット部材を円筒軸方向に並設した状態で如何なる方向にもマット部材同士の直線的な接合部が形成されないことに想到し、本発明をなすに至った。
【０００９】
すなわち、本発明は、回転式カッティング装置の回転アンビルの円筒外周面を周回するようにして設置されるマットであって、略矩形の平面形状を有し、設置時に前記回転アンビルの円筒軸にほぼ平行となる平行端縁のうち、一方の平行端縁に１以上の接合凹部が形成され、他方の平行端縁に前記各接合凹部に嵌合可能な１以上の接合凸部が形成されており、設置時に前記回転アンビルの円筒軸にほぼ垂直となる垂直端縁の各々が同一の非直線形状に形成されており、前記回転アンビルに設置される際に、前記平行端縁同士が隙間無く接合され、かつ、前記回転アンビルの軸方向に沿って隣接し合うマットの垂直端縁が互いに隙間無く接合可能であることを特徴とする回転アンビル用マットを提供するものである。
【００１０】
本発明は、また、上記の回転アンビル用マットを円筒外周面に設置した回転アンビル切断台として用いたことを特徴とするカッティング装置を提供するものである。
【００１１】
本発明は、また、回転駆動される回転アンビル本体と、当該回転アンビル本体の円筒外周面を周回するようにして円筒軸方向に並設される複数のマットであって、略矩形の平面形状を有し、設置時に前記回転アンビルの円筒軸にほぼ平行となる平行端縁のうち、一方の平行端縁に１以上の接合凹部が形成され、他方の平行端縁に前記各接合凹部に嵌合可能な１以上の接合凸部が形成されており、設置時に前記回転アンビルの円筒軸にほぼ垂直となる垂直端縁の各々が同一の非直線形状に形成されているマットとを有する回転アンビルであって、前記各マットの前記平行端縁同士が隙間無く接合され、かつ、前記回転アンビルの軸方向に沿って隣接し合うマットの垂直端縁が互いに隙間無く接合可能であることを特徴とする回転アンビルを提供するものである。
【００１２】
本発明は、また、上記の回転アンビルを切断台として用いたことを特徴とするカッティング装置を提供するものである。
【００１３】
本発明は、また、上記いずれかの回転アンビル上に被切断材料を載置し、切断刃を当てて被切断材料を切断することを特徴とするカッティング方法を提供するものである。
【発明の効果】
【００１４】
以上、説明したように、本発明の回転アンビル用マットによれば、直線的なマット接合面が出来ないので、カッティング装置の切断刃が如何なる方向に切り込もうとも、切断刃がマット接合面に嵌り込んだり滑り込んだりすることにより、切断不良が生じたり、切断刃及びマット下の木型が傷んでしまうことはない。
また、本発明によれば、カッティング装置の切断刃が如何なる方向に切り込もうとも、切断不良が生じることのない回転アンビル、カッティング装置及びカッティング方法が提供される。
特に、回転アンビル用マットの端縁部は他の部分に比べ切断刃による損傷が多いとされているところ、本発明のように回転アンビル用マットの継ぎ目をなだらかな波型の形状にすることにより、回転アンビル用マット端縁部の傷みが少なくなり、回転アンビル用マットの寿命が延長される。
【発明を実施するための最良の形態】
【００１５】
以下、添付図面を参照しながら、本発明の回転アンビル用マットを実施するための最良の形態を詳細に説明する。図１〜図３は、本発明の実施の形態を例示する図であり、これらの図において、同一の符号を付した部分は同一物を表わし、基本的な構成及び動作は同様であるものとする。
【００１６】
[１] 全体構成
図１は、本発明の回転アンビル用マットを適用した回転アンビルの一実施形態を概略的に示す図である。
図１に示す回転アンビルは、回転アンビル本体部１００と、回転アンビル本体部１００の円筒面を外周するようにして配置された複数の回転アンビル用マット１１０とから構成されている。
【００１７】
図示するように、回転アンビルの軸方向に並置された回転アンビル用マット１１０同士は、なだらかな波型の接合面を有している（図中縦方向の接合面）。一方で、個々の回転アンビル用マット１１０の端縁同士の接合面は、凹凸形状となっている（図中横方向の接合面）。
【００１８】
[２] 回転アンビル用マットの構成
図２は、回転アンビル用マット１１０を平面に展開した状態を示す図である。
図３は、回転アンビル用マット１１０を円筒状に屈曲させた状態を示す図である。
図示するように、回転アンビル用マット１１０の図面水平方向の端縁（回転アンビル上に配置された時に円筒軸にほぼ平行となる端縁）１１２には、それぞれ、複数の凸部１１２ａと凹部１１２ｂが形成されている。凸部１１２ａと凹部１１２ｂは、回転アンビルへの装着時に、互いに嵌合できるような配置及び形状で形成されている。
【００１９】
回転アンビル用マット１１０の図面垂直方向の端縁（回転アンビル上に配置された時に円筒軸にほぼ垂直となる端縁）１１４は、なだらかな波型の形状を有している。ここで左右の端縁１１４はほぼ同一の波型形状を有しており、回転アンビルへの装着時に、回転アンビルの軸方向に隣接する回転アンビル用マット１１０同士が互いに隙間無く接合することができるようになっている。
【００２０】
回転アンビル用マット１１０は、カッティング装置の切断台となり、切断刃を係止する役割をするので、切断刃による押圧を柔軟に受け止めることができる材料からなるのが好ましい。例えば、ウレタン樹脂、ゴムなどの材料を使用することができる。
【００２１】
[３] 作用及び効果
以上のように構成された本実施形態の回転アンビルを切断台として被切断材料の切断を行う際には次のような利点がある。すなわち、図１に示すように、本実施形態の回転アンビルは、回転アンビル用マット１１０のいずれの端縁同士の接合部も直線的ではないため、切断刃が端縁同士の接合部に滑り込んだり、嵌り込んだりして、切断不良が生じるという事態が生じることはない。したがって、本実施形態の回転アンビルを用いることにより、安定した正確な切断工程を行うことが可能となる。
【００２２】
以上、本発明の回転アンビル用マットについて、具体的な実施の形態を示して説明したが、本発明はこれらに限定されるものではない。当業者であれば、本発明の要旨を逸脱しない範囲内において、上記各実施形態における回転アンビル用マットの構成及び機能に様々な変更・改良を加えることが可能である。
【００２３】
例えば、図２及び図３においては、回転アンビル用マット１１０の端縁１１２を凸部及び凹部に形成する例を示しているが、この端縁の形状はこれに限定されるわけではなく、両端縁が非直線的に接合又は嵌合し合うことができる任意の形状とすることが出来る。同様に、回転アンビル用マット１１０の端縁１１４についても、必ずしも図２及び図３に示すような波型である必要はなく、両端縁が非直線的に接合又は嵌合し合うことができる任意の形状とすることが出来る。
【図面の簡単な説明】
【００２４】
【図１】本発明の回転アンビル用マットを適用した回転アンビルの一実施形態を概略的に示す図である。
【図２】図２に示す回転アンビル用マットを平面に展開した状態を示す図である。
【図３】図２に示す回転アンビル用マットを円筒状に屈曲させた状態を示す図である。
【図４】回転式カッティング装置の切断台となる回転アンビルの概要を示す図である。
【図５】図４に示す回転アンビル表層のマット部材の構造を概略的に示す図である。
【符号の説明】
【００２５】
１００    回転アンビル本体部
１１０    回転アンビル用マット
１１２    回転アンビル用マットの端縁
１１２ａ  端縁の凸部
１１２ｂ  端縁の凹部
１１４    回転アンビル用マットの端縁
【図１】
2010023121.tif 000003
【図２】
2010023121.tif 000004
【図３】
2010023121.tif 000005
【図４】
2010023121.tif 000006
【図５】
2010023121.tif 000007